(57)【要約】【課題】ディスク記録再生装置のプレイリストは、互換性を維持する為、規格を策定する際に設定した再生条件は、再生機の能力が向上しても不変であり、再生機の実力によってはそのまま再生出来る様な条件においても、再符号化して画像ファイルを作り直す必要が発生していた。【解決手段】ディスク媒体１４に、映像ファイルと、１個または複数の映像ファイルを再生する順序を規定したプレイリストファイルをプレイリスト作成回路１９が作成し、記録する映像信号記録方法において、再生条件設定回路２０が設定する、映像信号をリアルタイムに再生する事の可能な再生装置の条件をプレイリストに含ませる事で、様々な再生条件を持つ機器間においても、その利用形態と、機器の性能に応じた効率の良いプレイリスト編集を行える。【選択図】　図１
2004014041.tif 000002
【特許請求の範囲】
【請求項１】
ディスク媒体に、映像ファイルと、１個または複数の映像ファイルを再生する順序を規定したプレイリストファイルを記録する映像信号記録方法において、前記プレイリストは、映像信号をリアルタイムに再生する事の可能な再生装置の条件を含む事を特徴とする映像信号記録方法。
【請求項２】
再生するディスク装置の転送速度を再生装置の条件とする、請求項１記載の映像信号記録方法。
【請求項３】
再生するディスク装置のヘッド移動時のシーク時間を再生装置の条件とする、請求項１記載の映像信号記録方法。
【請求項４】
プレイリストに含まれる再生映像ファイルの個数によって、再生装置の条件を変更しプレイリストを作成する請求項１記載の映像信号記録方法。
【請求項５】
入力される映像信号を単一のファイルで記録する場合は第１の再生装置の条件、既に記録された複数の映像ファイルを基に再生順序を編集する場合は第２の再生装置の条件としてプレイリストを作成する請求項１記載の映像信号記録方法。
【請求項６】
第１の条件より第２の条件の再生装置の能力が高い事を特徴とする、請求項５記載の映像信号記録方法。
【請求項７】
映像信号記録装置の種類により、あらかじめ決められた再生装置の条件でプレイリストファイルを記録する請求項１記載の映像信号記録方法。
【請求項８】
記録時には、入力された映像信号を圧縮符号化し映像ファイルとしてディスク媒体に記録すると共に、再生する映像ファイルの順序を設定するプレイリストを記録し、再生時には前記プレイリストに従って、映像ファイルを再生する映像信号記録再生装置において、前記プレイリストは、映像信号をリアルタイムに再生する事の可能な再生装置の条件を含む事を特徴とする映像信号記録再生装置。
【発明の詳細な説明】
【０００１】
【発明の属する技術分野】
本発明は映像信号を圧縮符号化してディスク媒体に記録する方法に関するものである。
【０００２】
【従来の技術】
近年、光ディスクの記録密度の向上により、圧縮符号化された映像信号を記録する事が可能となり、映像信号の記録再生のみではなく、ディスクのランダムアクセス性を利用する方式が提案されている。
【０００３】
例えば「ＤＶＤ　Ｓｐｅｃｉｆｉｃａｔｉｏｎｓ　ｆｏｒ　Ｒｅｗｒｉｔａｂｌｅ／Ｒｅ−ｒｅｃｏｒｄａｂｌｅ　Ｄｉｓｃｓ」では再生時の映像ファイルの順序および、映像ファイルの中の再生区間をプレイリストとして、映像ファイルと共に光ディスクに記録している。そのため、複数の映像ファイルを、任意の区間、任意の順序で連続再生を行うためには、映像ファイルを直接加工する事なくプレイリストを編集する事で可能としている。
【０００４】
【発明が解決しようとする課題】
前記記録方式では、再生時に映像が途切れること無くリアルタイムで再生出来る事を条件にプレイリストを設定している。映像を途切れなくリアルタイムに再生する為には、再生データの転送レート、再生機のヘッドのシーク時間、再生データを一時蓄積するバッファの量等の再生機の性能が影響する。従って上記「ＤＶＤ　Ｓｐｅｃｉｆｉｃａｔｉｏｎｓ　ｆｏｒ　Ｒｅｗｒｉｔａｂｌｅ／Ｒｅ−ｒｅｃｏｒｄａｂｌｅ　Ｄｉｓｃｓ」では、その為に基準となる再生機の条件（Ｐｌａｙｅｒ　Ｍｏｄｅｌ）を定めており、このＰｌａｙｅｒ　Ｍｏｄｅｌにて途切れなくリアルタイム再生を行える様にプレイリストを作成する。プレイリストの作成を行う場合、映像ファイルの切り替えを頻繁に行う場合には、ヘッドのシーク等の影響でリアルタイム性を保証出来ない場合もある。
【０００５】
この場合、対象となる部分の複数映像ファイルを一旦復号し、所定の編集を施した後再度符号化して新たな画像ファイルとしてディスクに書き戻す必要がある。そして、実際の再生機の設計には、Ｐｌａｙｅｒ　Ｍｏｄｅｌの性能を上回る事により全ての再生機でのリアルタイム再生を保証したプレイリストとしている。
【０００６】
しかし、従来の方式では、互換性を維持する為、規格を策定する際に設定したＰｌａｙｅｒ　Ｍｏｄｅｌは転送レート、シーク時間等の再生機の能力が向上しても不変であり、再生機の実力によってはそのまま再生出来る様な条件においても、再符号化して画像ファイルを作り直す必要が発生していた。
【０００７】
【課題を解決するための手段】
この課題を解決する為に、本発明では、ディスク媒体に、映像ファイルと、１個または複数の映像ファイルを再生する順序を規定したプレイリストファイルを記録する映像信号記録方法において、前記プレイリストは、映像信号をリアルタイムに再生する事の可能な再生装置の条件を含む事を特徴とする映像信号記録方法を提供するものである。
【０００８】
【発明の実施の形態】
以下、本発明の実施の形態について説明する。
【０００９】
（実施の形態１）
図１は本発明の実施の形態１であるディスク記録再生装置の構成ブロック図を示すものである。図１において、１０は映像信号を入力する入力端子、１１は入力された映像信号を圧縮符号化する映像符号化回路、１２は符号化された信号をディスクメディアの記録に適した信号に変換する記録処理回路、１３はディスクへの記録と再生を行うピックアップ部、１４はディスク記録メディア、１５はディスクから読み出された信号を再生し符号データを再生する再生処理回路、１６は符号データを一時蓄える再生バッファー、１７は符号データを復号し映像信号を出力する復号回路、１８は映像信号を出力する出力端子、１９はプレイリストを作成する回路、２０はプレイリストの再生条件を設定する回路、２１は編集制御回路である。
【００１０】
以上のように構成されたディスク記録再生装置について、以下その動作を説明する。
【００１１】
映像信号入力端子１０から入力された映像信号は、映像符号化回路１１において、ＭＰＥＧ−２等の圧縮符号化が行われ、ディスクに記録可能な符号量となる。符号データは記録処理回路１２にて記録に適した信号に変換され、ピックアップ１３を介してディスク１４への記録が行われる。
【００１２】
再生時には、ディスク１４の信号がピックアップ１３と再生処理回路１５により再生され、符号データを得る。再生された符号データは再生バッファー１６により一旦蓄積された後、映像復号回路１７により復号され、映像信号が出力される。
【００１３】
再生時の再生バッファー１６の動作を図２に示す。図２は再生バッファーのバッファー量の推移を表す模式図で，横軸は時間、縦軸はバッファーの充足量である。
【００１４】
今、ディスクの再生レートをＲ１、記録されている映像レートをＲ２（Ｒ２＜Ｒ１）とすると、再生バッファ１６には再生状態に応じて最大でＲ１のレートで符号データが入力され、常にＲ２で読み出される事になる。図２において、定常状態でディスクを再生している区間Ａおよび区間Ｃでは、再生バッファには（Ｒ１−Ｒ２）のレートで符号データが蓄積されて行き、ディスク上の欠陥セクタ等によりセクタをスキップする区間Ｂでは、その間再生バッファはＲ２のレートで符号データが減少する。また、ディスク上の映像が離れた場所にある場合はピックアップをシークする必要があり（区間Ｄ）シーク中はＲ２のレートで符号データが減少する。
【００１５】
映像データを連続して途切れることなくリアルタイムで再生するには、再生バッファー１６からの読み出しが常にＲ２で行える必要がある。従ってリアルタイムを保証するプレイリストを作成するには、再生バッファーでの符号量がゼロとならない必要がある。しかし、複数の映像ファイルを細かくつなぎ合わせて再生する場合は、シークが頻繁に発生し、再生バッファがゼロとなる事が発生する。この様な場合には、複数のファイルを一旦復号化し、映像データの状態で細かくつなぎ合わせた後に再符号化を行い、新たな一つのファイルとしてディスクに書き戻す事で、再生バッファの条件を成立させている。
【００１６】
プレイリストを記録するのは、新規の映像ファイルを記録する場合に、映像ファイルと共に記録する場合と、複数の映像ファイルを任意の時間、任意の順番で再生させる様に編集を行う場合にその編集情報を記録する場合がある。再生条件設定回路２０にて設定される所定の再生条件と、編集制御回路２１にて指定される再生順序とから、プレイリスト作成回路１９にてプレイリストを作成する。プレイリストの作成例を図３に示す。
【００１７】
カメラ入力等、新規の映像ファイルを記録する場合には、映像ファイルと１対１でプレイリストを作成し、映像ファイルの開始点をプレイリストのＩＮ点とし、映像ファイルの終了点をプレイリストのＯＵＴ点としている。また、再生条件を１倍速の再生機で連続としている。従って、このプレイリストを再生する場合には、１倍速以上の再生機であれば、映像１の先頭から終了までが、連続したリアルタイムで再生を行う事が出来る。
【００１８】
編集作業における映像ファイル編集時には、映像Ａ、映像Ｂ、映像Ｃをそれぞれ任意のＩＮ点ＩＮ＿Ａ、ＩＮ＿Ｂ、ＩＮ＿Ｃ、及び任意のＯＵＴ点、ＯＵＴ＿Ａ、ＯＵＴ＿Ｂ、ＯＵＴ＿Ｃを設定し、映像Ａ、Ｂ、Ｃの順で連続再生を行うように図３の様にプレイリストを作成する。ここで、再生条件はＮ倍速（Ｎ＞１）の再生機で連続としている。従って、このプレイリストを再生する場合には、Ｎ倍速以上の再生機であれば、映像Ａ、映像Ｂ、映像Ｃの連続再生が途切れることなく、リアルタイムで行う事が出来る。
【００１９】
ここで、映像ファイル編集時における、映像Ａ、映像Ｂ、映像Ｃ、のそれぞれは、映像ファイル単体であれば、映像１の映像ファイルと同様に１倍速再生の条件で再生が可能である。従って、１倍速の再生が可能な再生機でプレイリストｂを再生すると、映像Ａと映像Ｂの切り替わり、及び映像Ｂと映像Ｃの切り替わりで、再生バッファーの符号量がゼロとなる可能性がある。その場合、再生画像が一度停止する等の現象となるが、ＩＮ点、ＯＵＴ点を確認するのみであれば、この様な再生でも十分確認が可能である。
【００２０】
ＣＤ−ＲＯＭ、ＤＶＤなどの光ディスク再生装置では、光ピックアップ、サーボ技術等の開発により、規格を策定した時点よりも再生転送レートは向上して行く事が一般的である。従って、スタジオ等で多数の映像記録装置を運用する場合、設備の導入時期の違いにより、再生能力が異なる機器を混在して運用する場合が考えられる。
【００２１】
本実施例はこの様な場合において効率の良い運用が可能となる。例えば１倍速再生の能力しかない古い記録再生装置と、Ｎ倍速の再生が可能な新しい記録再生装置を混在して編集を行う場合、最終の送出は最新のＮ倍速の再生装置で行う事として、再符号化を最小限とした画質の向上が図れる。また、プレイリスト編集の場合は古い１倍速再生の機器においてもプレイリストの再生条件をＮ倍速とする事で、最新のＮ倍速の再生能力を持った機器で行うのと同条件のプレイリストを作成することが可能であり、効率の良いプレイリスト編集が可能である。
なお、上述した実施の形態では、再生条件として１倍速、Ｎ倍速といった再生転送レートを条件としたが、再生時のトラックジャンプする際のヘッド移動のシーク時間、または、同時に再生可能な再生ピックアップの数等の再生機の性能を条件にしても同様の効果があることは明らかである。
【００２２】
また、本実施例ではプレイリストの再生条件として複数の条件を示したが、リアルタイム再生を全く保証しないという条件でも良い。例えば、映像ファイルとプレイリストを一旦ハードディスク等の高速転送が可能なデバイスに記録して再生する場合には、記録時のディスク機器の再生条件とは全く関係無くリアルタイムの再生が可能であり、この様な場合にはディスク再生でのリアルタイム条件を無視して、再符号化の回数を減らした編集が可能となる。
【００２３】
さらに、機器のコスト、運用方法等の違いにより、機器毎の再生装置の能力が異なり、混在して使用される場合においても本実施例が有効であるのは明らかである。
【００２４】
【発明の効果】
以上述べたように、本発明によれば、プレイリスト中に映像信号をリアルタイムに再生する事の可能な再生装置の条件を含む事により、様々な再生条件を持つ機器間においても、その利用形態と、機器の性能に応じた効率の良いプレイリスト編集を行う事が出来る。
【図面の簡単な説明】
【図１】本発明の実施の形態１によるブロック図
【図２】本発明の実施の形態１による再生バッファー量の推移を表す模式図
【図３】本発明の実施の形態１による映像ファイルとプレイリストを表す模式図
【符号の説明】
１１　映像符号化回路
１２　記録処理回路
１３　ピックアップ
１４　記録ディスク
１５　再生処理回路
１６　再生バッファー
１７　映像復号回路
１９　プレイリスト作成回路
２０　再生条件設定回路
２１　編集制御回路
【図１】
2004014041.tif 000003
【図２】
2004014041.tif 000004
【図３】
2004014041.tif 000005
【手続補正書】
【提出日】平成14年7月19日(2002.7.19)
【手続補正１】
【補正対象書類名】明細書
【補正対象項目名】特許請求の範囲
【補正方法】変更
【補正の内容】
【特許請求の範囲】
【請求項１】
ディスク媒体に、映像ファイルと、１個または複数の映像ファイルを再生する順序を規定したプレイリストファイルを記録する映像信号記録方法において、前記プレイリストは、映像信号をリアルタイムに再生する事の可能な再生装置の条件を含む事を特徴とする映像信号記録方法。
【請求項２】
再生するディスク装置の転送速度を再生装置の条件とする、請求項１記載の映像信号記録方法。
【請求項３】
再生するディスク装置のヘッド移動時のシーク時間を再生装置の条件とする、請求項１記載の映像信号記録方法。
【請求項４】
プレイリストに含まれる再生映像ファイルの個数によって、再生装置の条件を変更しプレイリストを作成する請求項１記載の映像信号記録方法。
【請求項５】
入力される映像信号を単一のファイルで記録する場合は第１の再生装置の条件、既に記録された複数の映像ファイルを基に再生順序を編集する場合は第２の再生装置の条件としてプレイリストを作成する請求項１記載の映像信号記録方法。
【請求項６】
第１の条件より第２の条件の再生装置の能力が高い事を特徴とする、請求項５記載の映像信号記録方法。
【請求項７】
映像信号記録装置の種類により、あらかじめ決められた再生装置の条件でプレイリストファイルを記録する請求項１記載の映像信号記録方法。
【請求項８】
記録時には、入力された映像信号を圧縮符号化し映像ファイルとしてディスク媒体に記録すると共に、再生する映像ファイルの順序を設定するプレイリストを記録し、再生時には前記プレイリストに従って、映像ファイルを再生する映像信号記録再生装置において、前記プレイリストは、映像信号をリアルタイムに再生する事の可能な再生装置の条件を含む事を特徴とする映像信号記録再生装置。
【請求項９】
ディスク媒体に、映像ファイルと、１個または複数の映像ファイルを再生する順序を規定したプレイリストファイルを記録する映像信号記録方法において、前記プレイリストは、再生時の条件を表す識別子を含む事を特徴とする映像信号記録方法。
【請求項１０】
前記識別子は、プレイリストによる再生において、リアルタイムに再生する事の可能な再生装置の種別を表す事を特徴とする請求項９記載の映像信号記録方法。
【手続補正２】
【補正対象書類名】明細書
【補正対象項目名】００２１
【補正方法】変更
【補正の内容】
【００２１】
本実施例はこの様な場合において効率の良い運用が可能となる。例えば１倍速再生の能力しかない古い記録再生装置と、Ｎ倍速の再生が可能な新しい記録再生装置を混在して編集を行う場合、最終の送出は最新のＮ倍速の再生装置で行う事として、再符号化を最小限とした画質の向上が図れる。また、プレイリスト編集の場合は古い１倍速再生の機器においてもプレイリストの再生条件をＮ倍速とする事で、最新のＮ倍速の再生能力を持った機器で行うのと同条件のプレイリストを作成することが可能であり、効率の良いプレイリスト編集が可能である。
なお、上述した実施の形態では、再生条件として１倍速、Ｎ倍速といった再生転送レートを条件としたが、再生時のトラックジャンプする際のヘッド移動のシーク時間、または、同時に再生可能な再生ピックアップの数等の再生機の性能を条件にしても同様の効果があることは明らかである。また、プレイリストへの再生装置の条件の記録方法については、再生装置の性能を表すあらかじめ定められたルールに基づく符号を用いても可能な事は明らかである。